(57)【要約】      （修正有）【課題】日報作成を簡素化、容易化する。【解決手段】入力装置に工事内容を入力できる手段を設け、その内容を図面作成業者に送付する。また、この入力装置において工事によって延長された管路の計算を行い、表示することにより、工事に関する日報入力業務が簡素化、容易化することができるようになる。また別の一実施態様においては、ネットワークを介してサービスサイトからアプリケーションソフトをＡＳＰ（アプリケーションサービスプロバイダ）として提供する手段をさらに備えた構成とすることもできる。【選択図】図１
2014098956.tif 000002
【特許請求の範囲】
【請求項１】
工事内容情報処理に関し、出力部及び入力部と、
部品情報を図形により選択する手段と、
テキストにより部品の詳細情報を表示する手段と
を備えたことを特徴とする水道工事日報報告装置。
【請求項２】
請求項１記載の水道工事日報報告装置において、
工事に伴う敷設延長の長さを表示する手段
をさらに備えたことを特徴とする水道工事日報報告装置。
【請求項３】
請求項１記載の水道工事日報報告装置において、
ネットワークを介してサービスサイトからアプリケーションソフトをＡＳＰ（アプリケーションサービスプロバイダ）として提供する手段
をさらに備えたことを特徴とする水道工事日報報告装置。
【請求項４】
請求項１記載の水道工事日報報告装置において、
ネットワークを介して工事内容情報を送信する手段
をさらに備えたことを特徴とする水道工事日報報告装置。
【発明の詳細な説明】
【技術分野】
【０００１】
本発明は、水道工事日報作成に関し、特に日報作成についての情報の入力処理に係り、特に水道工事日報作成装置、水道工事日報作成装置の制御方法、水道工事日報作成装置プログラム及び記録媒体に関する。
【背景技術】
【０００２】
水道工事は、水道事業体となる地方公共団体等が実施し、実際の工事は工事業者が行うが、管路図面、管路管理図、地形図等の作成は、図面作成業者等によって行われるのを常とする。
【０００３】
工事業者は水道工事を実施する水道事業体から日報の提出を求められるが、原則として、その日の工事終了後にその内容を図面作成業者等に報告し、日報を作成する必要がある。
【０００４】
さらに、工事完了時には、日報とは別に竣工図を水道事業体に提出するが、この竣工図と当初の設計図との相違は、日報の内容の積み上げに他ならない。この竣工図と日報をもとに、実際の工事内容に即した清算業務が行われることになる。
【先行技術文献】
【特許文献】
【０００５】
【特許文献１】特開２００３−３３０９８１号公報
【特許文献２】特開２００３−３３１０００号公報
【発明の概要】
【発明が解決しようとする課題】
【０００６】
このように、水道工事業者は、毎日の作業後に日報作成のための情報収集と、図面作成業者への報告が必須であるにもかかわらず、従来技術において、例えば特開２００３−３３０９８１号公報、特開２００３−３３１０００号公報ともに、日報報告を簡素化する手段については、配慮されていなかった。本発明は、上記の問題点を解消すべく、日報作成を簡素化、容易化することを目的とする。
【課題を解決するための手段】
【０００７】
上記課題を解決するため、本発明においては、入力装置に工事内容を入力できる手段を設け、その内容を図面作成業者に送付する。また、この入力装置において工事によって延長された管路の計算を行い、表示することにより、工事に関する日報入力業務が簡素化、容易化することができるようになる。
【０００８】
本願発明の一実施態様においては、工事内容情報処理に関し、出力部及び入力部と、部品情報を図形により選択する手段と、テキストにより部品の詳細情報を表示する手段とを備えたことを特徴とする。部品情報を図形選択により入力することができ、入力操作が容易化する。
【０００９】
本願発明の別の一実施態様においては、工事内容情報処理に関し、上記の構成において、工事に伴う敷設延長の長さを表示する手段をさらに備えたことを特徴とする。これにより、長さ情報を併せて管理することになり、積算、見積もり等に便宜である。
【００１０】
本願発明のまた別の一実施態様においては、上記の構成において、ネットワークを介してサービスサイトからアプリケーションソフトをＡＳＰ（アプリケーションサービスプロバイダ）として提供する手段をさらに備えたことを特徴とする。これにより、利用者は、クライアント側（たとえばスマートフォン、携帯電話機等）にソフトを搭載することなく、必要な都度ネットワークを介して本願に係る水道工事日報報告アプリケーションのサービスを受けることが可能となる。
【００１１】
本願発明のさらに別の一実施態様においては、上記の構成において、ネットワークを介して工事内容情報を送信する手段をさらに備えたことを特徴とする。これにより、たとえばサーバ側でネットワークを介して日々の工事内容情報を各クライアント（たとえばスマートフォン、携帯電話機等）から収集し、集計処理を行うことが可能となる。
【図面の簡単な説明】
【００１２】
【図１】本発明の一実施例に係る全体ブロック図である。
【図２】本発明の一実施例に係る出力システムのブロック図である。
【図３】出力システムのブロック図である。
【図４】入力システムのブロック図である。
【図５】入力システムの初期画面図である。
【図６】日報入力画面図である。
【図７】配管部品情報の一例を示す図である。
【図８】敷設した部品表示図である。
【図９】記号データテーブルである。
【図１０】敷設情報テーブルである。
【図１１】データ保存・読込画面である。
【図１２】データ送信画面である。
【図１３Ａ】日報入力処理のフローチャートである。
【図１３Ｂ】日報入力処理のフローチャートである。
【図１４】データ保存・読込処理のフローチャートである。
【図１５Ａ】データ送信処理のフローチャートである。
【図１５Ｂ】データ送信処理のフローチャートである。
【図１６】本発明の一実施形態に係る画面遷移を表す図である。
【発明を実施するための形態】
【００１３】
以下、図面を参照して、本発明の一実施形態について説明する。
【００１４】
図１は、本発明の一実施形態に係る全体構成を示すブロック図である。本システムはネットワーク１０、出力システム２０、入力システム３０、サービスサイト４０を備えている。
【００１５】
ネットワーク１０は、出力システム２０、入力システム３０、サービスサイト４０の情報交換手段である。情報交換の具体的な手段としては、有線、無線、光学等を問わないものとする。
【００１６】
出力システム２０は、入力システム３０で入力した水道工事の日報に関する情報を格納するとともに、必要な図面等を作成するシステムであるが、このシステムのための専用システムであっても、例えば、ＣＡＤシステムのように、一般的に広く使用されているシステムであっても構わない。
【００１７】
入力システム３０は、日報に関する情報を入力するシステムで、基本的に水道工事現場からネットワーク１０を介して出力システム２０へ日報情報を送信する。そのため、可搬型のシステムであることが好ましいが、据え置き型等のシステムであっても構わない。
【００１８】
サービスサイト４０は、例えば、入力システム３０に各種処理プログラムを提供するものであり、本発明に関する処理プログラムをサービスシステム４０からインストールしても構わない。
【００１９】
図２に、出力システム２０の構成を示す。プロセッサ２１は出力システムを制御し、メモリ２２はプロセッサ２１の制御に使用される。入力システム３０で入力された水道工事の日報等の情報はプロセッサによって処理され、メモリ２２に格納されるが、必要に応じて出力装置２３から用紙等に出力される。入力装置２４は、出力システム２０のために情報を入力する手段である。
【００２０】
図３に、本発明の主要部分となる入力システム３０の構成を示す。プロセッサ３１は入力システム３０を制御し、メモリ３２はプロセッサ３１の制御に使用される。入力装置３４は日報に関する情報を入力するための手段であり、出力装置３３は、必要に応じて情報表示する手段である。
【００２１】
図４に、サービスサイト４０の構成を示す。プロセッサ４１はサービスサイト４０を制御し、メモリ４２はプロセッサ４１の制御に使用される。入力装置４４はサービスサイト４０に関する情報を入力する手段であり、出力装置４３は、必要に応じて情報表示する手段である。データベース（以下、ＤＢと省略）４５は、各種処理プログラムを格納し、入力システム３０等からの要求に応じて、処理プログラムをネットワーク１０を介して提供するものとする。
【００２２】
以上、本発明の一実施形態の概要および構成を示した。以下に、本発明の詳細および動作について説明する。
【００２３】
図５に本発明の一実施形態の主要部分である入力システム３０の初期画面を示す。入力システムにおいて日報入力に関する処理プログラムが起動すると、初期画面５０が表示される。初期画面には、日報入力欄５１、データ保存・読込欄５２、データ送信欄５３が表示される。
【００２４】
初期画面５０において、日報入力欄５１が押下されると、システム側（プロセッサ側。以下同じ。）で日報入力画面６０が表示される。図６に日報入力画面６０を示す。
【００２５】
水道工事は図面等の指示に従い進められるが、当日の工事で敷設した配管部品が入力されると、その結果が日報入力画面６０の入力表示欄６２に表示される。入力表示欄６２の一番左端の前日管欄６２１１の下に「前日管」と表示されているが、ここには当日の直近に行った工事の最後に敷設した配管部品の情報が入力されるものとする。
【００２６】
次に、利用者は、前日管に接続された配管部品に関する情報を入力する。まず、配管部品の管径を管径欄６３１から入力する。管径欄６３１の三角マークを押下すると、システム側で複数の管径がプルダウンメニューに示される（図示せず）ので、このなかから当該する管径を利用者が押下することで選択するものとする。図６では管径５０ｍｍが選択されたことを示す。次に、利用者は部品種類欄６４から当該する配管部品の種類を選択する。例えば、ＮＳ型の配管部品を選択する場合には、ＮＳ欄６４１を押下すると、システム側で配管部品欄６４４に各部品が表示される。表示欄には、配管部品が簡単に見分けられる記号として表示されるので、利用者はそのなかから当該配管部品を選択する。なお、配管部品欄６４４の下のスクロール欄６５の左矢印６５１、右矢印６５２を押下することでスクロールすることができる。ただし、スクロール欄は、例えば画面上を指で左側、または右側に擦る等により、スクロールさせても構わない。その処理は入力システムの入力装置３４にて指の動きを検知し行うものとする。
【００２７】
なお、配管部品欄６４４に表示される配管部品記号の一例を、図７に示す。この記号において、当該する管の種類、接続元の管の種類、接続先の管の種類等、配管部品に関する情報が網羅されているものとする。なお、図７に示した記号は一例であり、一般的に標準化された記号を用いても構わない。
【００２８】
なお図６の配管表示欄６２１においては、システム側で一番左の前日管から、順次右に部品が敷設されるものとし、この場合には、水は左から右に流れ出て、次の配管部品へ流入するものとする。前日管の接続方向が部品種類欄６４に表示された方向と逆の場合には、利用者が反転欄６３２を押下すると、システム側で反転欄にチェックマークが表示されるとともに、配管部品欄６４４に表示される部品の向きが反転するものとする。このように敷設された配管部品に従って利用者が順次配管部品を選択すると、入力表示欄６２の各欄には配管部品の記号が表示されることとなる。
【００２９】
なお、配管部品を切断して使用する場合には、切断部品を示すＫ型欄６４２を押下すると、切断後の長さを入力する欄（図示せず）が表示されるので、入力装置３４を介して長さを入力するものとする。このように、部品種類選択欄である６４１〜６４３を押下することで部品種類を選択して配管部品欄６４４の記号を表示させるとともに、スクロール欄６５の各矢印キーを押下することで、部品欄をスクロールさせ、当該する部品を選択するものとする。
【００３０】
なお、図７に示す通り、各部品記号には部品の詳細内容が数字、アルファベットおよび記号等からなるテキスト情報により明示されるものとする。これらテキスト情報は、標準的な表示でも、独自の表示でもかまわない。また、出力システム３０等との整合を図ってもかまわない。なお、これら敷設された部品記号は、順次入力表示欄６２に表示されるものとする。これを図８に示す。
【００３１】
次に、図９に、各部品記号の映像情報とテキスト情報に関するデータテーブルを示す。記号データテーブル９０は通し番号欄９１、映像情報欄９２、テキスト情報欄９３よりなる。各部品記号には通し番号が付加されており、当該する通し番号欄９１にはそれぞれユニークな数値等が設定、格納されている。これに続いて、当該する部品記号に関する映像情報欄９２が格納されている。なお、例えば入力システム３０のメモリ３２上に設定されている日報入力画面６０の入力表示欄６２の当該メモリアドレスに映像情報欄９２の情報内容を転送すると、映像情報欄９２に示された記号図形が配管表示欄６２１に表示されるものとする。格納されたデータは、メモリ３２上にあってもよいし、あるいはネットワークを介して管理システム（サーバ）４０１もしくはクラウド４０２にあってもよい。また、テキスト情報欄９３の内容は、配管表示欄６２１の記号図形の下に、表示されるものとする。
【００３２】
上記の通り、利用者が部品敷設順に従って部品記号を選択すると、システム側では順番に従って当該する部品記号を配管表示欄６２１に順次部品図形としても表示する。こうすることで、図１０に示す通り、メモリ３２上に設定された敷設情報テーブル１００に、前日管情報１０１、当日＃１情報１０２、当日＃２情報１０３、・・・と順次格納される。この時、当該配管欄１０１１、１０２1、１０３１、・・・には、前日管、および当日敷設順位が定められており、とともに敷設された配管部品の通し番号欄９１の情報と、反転欄６３２が押下されて接続方向が逆転された場合には「逆」、反転されない場合には「正」の情報が格納されるものとする。さらに、前日管を除く各長さ情報欄１０２２、１０３２、・・・には、部品の長さ情報が格納される。さらに、直径情報欄１０１３、１０２３、１０３３、・・・には、部品の直径情報が格納され、特に部品テキスト情報欄１０１４、１０２４、１０３４、・・・には、部品図形に対応した、テキスト情報欄９３に格納されたテキストデータが格納されるものとする。
【００３３】
なおシステム側では、記号データテーブル９０、敷設情報テーブル１００を入力システム上のメモリ３２に設定、格納する必要はなく、例えば、ネットワーク１０を介して、出力システム２０、サービスサイト４０等のメモリ上に設定、格納しても構わない。
【００３４】
上記一連の入力終了後、利用者が日報入力画面６０の延長計算欄６３４を押下すると、システム側では当日の敷設により延長された管の長さを計算し、日報入力画面６０に別画面（表示せず）として表示するものとする。
【００３５】
入力の完了後、利用者が日報入力画面６０の保存・読込欄６１１を押下すると、システム側ではデータ保存・読込画面１１０が表示される。これを図１１に示す。この画面上で、ファイル名欄１１０１を利用者が押下すると、キーボード画面が表示される（図示せず）ので、この画面からファイル名を入力する。ファイル名の入力完了後、保存欄１１０３を利用者が押下すると、システム側では入力表示欄６２に表示されていた敷設情報が、ファイル名に従って、例えばメモリ３２上の敷設完了情報テーブル欄（図示せず）に格納され、初期画面５０に遷移する。敷設情報が格納される敷設完了情報テーブル欄はメモリ上にあってもよいし、あるいはネットワーク１０を介して、管理システム（サーバ）４０１、もしくはクラウド４０２であってもよい。
【００３６】
データ保存が完了した後に、初期画面５０のデータ送信欄５３を利用綾が押下すると、システム側ではデータ送信画面１２０が表示される。これを図１２に示す。この画面で、利用者がファイル名欄の１２０１を押下すると、システム側でデータ保存・読込画面と同様にキーボード画面が表示されるので、送信するファイル名を入力する。あるいは、システム側ですでに格納された情報に関するファイル名一覧を表示しても構わない。ファイル名の入力が完了したら、利用者がメールアドレス欄１２０２にメールアドレスを入力し、メールアドレスの入力が完了した後に、メール送信欄１２０３を押下すると、入力されたメールアドレスに指定されたファイル名に従って、日報情報がメールアドレスに送信されるものとする。
【００３７】
なお、上記送信される日報情報は、敷設完了情報テーブル欄（図示せず）の内容に従うことになるが、部品に関する情報については、記号データテーブル９０の内容そのままでも、通し番号欄９１、映像情報欄９２、テキスト情報欄９３のいずれか、または複数を組合せて送信しても構わない。いずれの場合でも、一義的に部品が特定できることになる。
【００３８】
上記送信アドレスは、通常は出力システム２０のいずれに設定されており、当該出力システム２０において、日報内容を一覧表、図形等に作成するものとする。
【００３９】
データ送信が完了すると、画面は初期画面５０に遷移する。ここで、利用者がデータ保存・読込欄５２を押下すると、システム側ではデータ保存・読込画面１１０に遷移するので、ここでファイル名を指定し読込欄１１０２２を利用者が押下すると、システム側では日報入力画面６０に遷移するとともに、当該する施設情報を入力表示欄６２に表示する。ここで、利用者が内容を確認し、データ送信欄６１２を利用者が押下すると、システム側でデータ送信画面１２０を表示するので、上記説明の通り、データ送信を行うことが可能となる。また、保存・読込欄６１１を利用者が押下すると、データ保存・読込画面１１０が表示される。ここで、利用者がファイル名を入力し保存欄１１０３を押下すると、入力されたファイル名に従って情報が格納されるので、別のファイル名で情報を登録し直すことが可能となる。ファイル保存後は、画面は初期画面５０に遷移するので、データ送信を行いたい場合には、データ送信欄５３を利用者が押下すると送信が可能となる。なお、データ送信後は初期画面５０に戻るので、利用者がそれぞれ行いたい処理の当該欄を押下することで、処理を続行することができる。
【００４０】
次に、上記処理について、図に従って説明する。図１６は、入力システム２０の画面遷移を示す。システムを立ち上げた直後には初期画面５０が表示され、利用者が初期画面上の遷移先を示す当該欄を押下することで、システム側では日報入力画面６０、データ保存・読込画面１１０、データ送信画面１２０に遷移する。また、各画面では、上記説明の通り、処理に従ってそれぞれに画面に遷移するものとする。
【００４１】
図１３Ａ、１３Ｂに日報入力処理に関するフローチャートを示す。システム側の日報入力画面６０において、保存・読込欄６１１が押下されるとデータ保存・読込処理へ遷移する（Ｓ１３０１、Ｓ１３０２）。データ送信欄６１２が押下されるとデータ送信処理を行う（Ｓ１０３、Ｓ１３０４）。管径欄６３１が押下されると、管径情報の入力処理を行う（Ｓ１３０５、Ｓ１３０６）。部品種類欄６４が押下されると部品種類選択処理を行う（Ｓ１３０７、Ｓ１３０８）。部品種類が切断を要するＫの場合には、切断長の入力処理を行う（Ｓ１３０９、Ｓ１３１０）。配管部品欄６４４が押下されると、配管部品入力処理を行う（Ｓ１３１１、Ｓ１３１２）。反転欄６３２が押下されると、配管部品欄に表示されている部品記号の向きを反転する（Ｓ１３１３、Ｓ１３１４）。延長計算欄が押下されると、敷設長を計算して作成し、画面表示する（Ｓ１３１５、Ｓ１３１６）。クリア欄６３３が押下されると、入力表示欄６２に表示された情報を消去する（Ｓ１３１７、Ｓ１３１８）。以上、敷設情報の入力に関する処理の流れである。
【００４２】
次に、図１４にデータ保存・読込処理のフローチャートを示す。データ保存・読込画面１１０において、ファイル名欄１１０１が押下されると、ファイル名入力処理を行う（Ｓ１４０１、Ｓ１４０２）。読込欄１１０２が押下されると、入力されたファイル名で格納されているデータを読み込み、日報入力処理の入力表示欄６２に表示し、日報入力処理へ遷移する（Ｓ１４０４、Ｓ１４０５）。保存欄１１０３が押下されると、ファイル名に従って敷設情報を格納し、初期画面に遷移する（Ｓ１４０７、Ｓ１４０８）。以上、データ保存・読込処理に関する流れである。
【００４３】
次に、図１５Ａ、１５Ｂにデータ送信処理のフローチャートを示す。データ送信画面１２０において、ファイル名欄１２０１が押下されると、ファイル名入力処理を行う（Ｓ１５０１、Ｓ１５０２）。メールアドレス欄１２０２が押下されると、メールアドレス入力処理を行う（Ｓ１５０３、Ｓ１５０４）。メール送信欄１２０３が押下され、ファイル名、メールアドレスが入力済みの場合には、メールを送信し（Ｓ１５０５、Ｓ１５０６、Ｓ１５０７）する。
【００４４】
以上、説明したように、本発明によれば水道工事の日報作成に関する敷設情報の入力処理業務を軽減する。
【００４５】
特に、部品情報の入力処理は部品記号を選択することで実現する。
【００４６】
また、部品記号と合わせ、部品情報をテキストでも表示する。
【００４７】
さらに、当該工事により敷設延長を計算する機能を有する。
【００４８】
また、工事日報情報を図面作成業者等へ送信する時に、映像情報そのものを送信することなくテキスト情報として送信することにより、図面作成システムに都合のよい書式とする。
【００４９】
さらに、上記テキスト情報として、部品情報の詳細を記述したテキストとしても、また部品に付加した通し番号等、一定の基準に基づいたテキストとすることで、送信処理時間の低減を図る。
【産業上の利用可能性】
【００５０】
本発明は水道工事日報作成装置に係わり、特に日報情報の入力業務を改善することにおいて、非常に有用である。さらに、工事ミス、日報情報の入力間違いを低減する上で有効である。また、日報情報の送信内容を選択することにより、送信時間の低願を計ることが可能となる。さらに、水道工事のみならず、他の工事に関する報告情報入力業務に応用可能である。
【符号の説明】
【００５１】
１０  ネットワーク
２０  出力システム
３０  入力システム
３１  プロセッサ
３２  メモリ
３３  出力装置
３４  入力装置
４０１  管理システム
４０２  クラウド
【図１】
2014098956.tif 000003
【図２】
2014098956.tif 000004
【図３】
2014098956.tif 000005
【図４】
2014098956.tif 000006
【図５】
2014098956.tif 000007
【図６】
2014098956.tif 000008
【図９】
2014098956.tif 000009
【図１０】
2014098956.tif 000010
【図１１】
2014098956.tif 000011
【図１２】
2014098956.tif 000012
【図１３Ａ】
2014098956.tif 000013
【図１３Ｂ】
2014098956.tif 000014
【図１４】
2014098956.tif 000015
【図１５Ａ】
2014098956.tif 000016
【図１５Ｂ】
2014098956.tif 000017
【図１６】
2014098956.tif 000018
【図７】
2014098956.tif 000019
【図８】
2014098956.tif 000020
【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
水道工事の内容に関する水道工事日報の作成を容易化する情報処理に関し、出力部及び入力部と、
水道工事報告の作成対象である配管に係る菅径情報、配管部品種類情報、配管長さ情報を含む配管情報が入力される手段であって、前記菅径情報はプルダウンメニューからの選択により、前記配管部品種類情報は部品を記号化した図形が左から右にスクロール表示される中から選択により入力される、手段と、
前記入力された部品に関連する詳細情報を前記記号化された図形と併せてテキスト表示する手段と、
水道工事に伴う当日の敷設延長の長さを表示する手段と、
前記配管情報が入力されるに伴って、前日までに敷設した配管部品に関する既設情報が表示される手段と、
前記配管部品の切断長さを入力可能として該配管部品を切断使用する場合の入力に供する手段と、
前記選択された管についての長さを集計する手段であって、前記前日までの既設に係る長さと当日の施工長さとの集計が可能である手段と
を備えたことを特徴とする水道工事日報報告装置。
【請求項２】
請求項１記載の水道工事日報報告装置において、
前記スクロール表示は該スクロールの方向を反転させて表示させるための反転表示欄
をさらに備え、前記反転表示欄が選択されたときには前記スクロール表示の左右方向がそれまでの表示と反転されて表示されることを特徴とする水道工事日報報告装置。
【請求項３】
請求項１記載の水道工事日報報告装置において、
ネットワークを介してサービスサイトからアプリケーションソフトをＡＳＰ（アプリケーションサービスプロバイダ）として提供する手段
をさらに備えたことを特徴とする水道工事日報報告装置。
【請求項４】
請求項１記載の水道工事日報報告装置において、
ネットワークを介して工事内容情報を送信する手段
をさらに備えたことを特徴とする水道工事日報報告装置。
【請求項５】
請求項１記載の水道工事日報報告装置において、
前記配管情報は、接続元の菅に関する情報及び接続先の菅に関する情報を含む
ことを特徴とする水道工事日報報告装置。
【手続補正２】
【補正対象書類名】明細書
【補正対象項目名】００３１
【補正方法】変更
【補正の内容】
【００３１】
次に、図９に、各部品記号の映像情報とテキスト情報に関するデータテーブルを示す。記号データテーブル９０は通し番号欄９１、映像情報欄９２、テキスト情報欄９３よりなる。各部品記号には通し番号が付加されており、該当する通し番号欄９１にはそれぞれユニークな数値等が設定、格納されている。これに続いて、該当する部品記号に関する映像情報欄９２が格納されている。なお、例えば入力システム３０のメモリ３２上に設定されている日報入力画面６０の入力表示欄６２の当該メモリアドレスに映像情報欄９２の情報内容を転送すると、映像情報欄９２に示された記号図形が配管表示欄６２１に表示されるものとする。格納されたデータは、メモリ３２上にあってもよいし、あるいはネットワークを介して管理システム（サーバ）４０１もしくはクラウド４０２にあってもよい。また、テキスト情報欄９３の内容は、配管表示欄６２１の記号図形の下に、表示されるものとする。
【手続補正３】
【補正対象書類名】明細書
【補正対象項目名】００３２
【補正方法】変更
【補正の内容】
【００３２】
上記の通り、利用者が部品敷設順に従って部品記号を選択すると、システム側では順番に従って該当する部品記号を配管表示欄６２１に順次部品図形としても表示する。こうすることで、図１０に示す通り、メモリ３２上に設定された敷設情報テーブル１００に、前日管情報１０１、当日＃１情報１０２、当日＃２情報１０３、・・・と順次格納される。この時、当該配管欄１０１１、１０２1、１０３１、・・・には、前日管、および当日敷設順位が定められており、とともに敷設された配管部品の通し番号欄９１の情報と、反転欄６３２が押下されて接続方向が逆転された場合には「逆」、反転されない場合には「正」の情報が格納されるものとする。さらに、前日管を除く各長さ情報欄１０２２、１０３２、・・・には、部品の長さ情報が格納される。さらに、直径情報欄１０１３、１０２３、１０３３、・・・には、部品の直径情報が格納され、特に部品テキスト情報欄１０１４、１０２４、１０３４、・・・には、部品図形に対応した、テキスト情報欄９３に格納されたテキストデータが格納されるものとする。
【手続補正４】
【補正対象書類名】明細書
【補正対象項目名】００３４
【補正方法】変更
【補正の内容】
【００３４】
上記一連の入力終了後、利用者が日報入力画面６０の延長計算欄６３４を押下すると、システム側では当日の敷設により延長された管の長さを計算し、日報入力画面６０に別画面（表示せず）として表示する。
【手続補正５】
【補正対象書類名】明細書
【補正対象項目名】００３６
【補正方法】変更
【補正の内容】
【００３６】
データ保存が完了した後に、初期画面５０のデータ送信欄５３を利用者が押下すると、システム側ではデータ送信画面１２０が表示される。これを図１２に示す。この画面で、利用者がファイル名欄の１２０１を押下すると、システム側でデータ保存・読込画面と同様にキーボード画面が表示されるので、送信するファイル名を入力する。あるいは、システム側ですでに格納された情報に関するファイル名一覧を表示しても構わない。ファイル名の入力が完了したら、利用者がメールアドレス欄１２０２にメールアドレスを入力し、メールアドレスの入力が完了した後に、メール送信欄１２０３を押下すると、入力されたメールアドレスに指定されたファイル名に従って、日報情報がメールアドレスに送信される。
【手続補正６】
【補正対象書類名】明細書
【補正対象項目名】００３９
【補正方法】変更
【補正の内容】
【００３９】
データ送信が完了すると、画面は初期画面５０に遷移する。ここで、利用者がデータ保存・読込欄５２を押下すると、システム側ではデータ保存・読込画面１１０に遷移するので、ここでファイル名を指定し読込欄１１０２２を利用者が押下すると、システム側では日報入力画面６０に遷移するとともに、該当する施設情報を入力表示欄６２に表示する。ここで、利用者が内容を確認し、データ送信欄６１２を利用者が押下すると、システム側でデータ送信画面１２０を表示するので、上記説明の通り、データ送信を行うことが可能となる。また、保存・読込欄６１１を利用者が押下すると、データ保存・読込画面１１０が表示される。ここで、利用者がファイル名を入力し保存欄１１０３を押下すると、入力されたファイル名に従って情報が格納されるので、別のファイル名で情報を登録し直すことが可能となる。ファイル保存後は、画面は初期画面５０に遷移するので、データ送信を行いたい場合には、データ送信欄５３を利用者が押下すると送信が可能となる。なお、データ送信後は初期画面５０に戻るので、利用者がそれぞれ行いたい処理の該当欄を押下することで、処理を続行することができる。
【手続補正７】
【補正対象書類名】明細書
【補正対象項目名】００４０
【補正方法】変更
【補正の内容】
【００４０】
次に、上記処理について、図に従って説明する。図１６は、入力システム２０の画面遷移を示す。システムを立ち上げた直後には初期画面５０が表示され、利用者が初期画面上の遷移先を示す該当欄を押下することで、システム側では日報入力画面６０、データ保存・読込画面１１０、データ送信画面１２０に遷移する。また、各画面では、上記説明の通り、処理に従ってそれぞれに画面に遷移するものとする。
【手続補正８】
【補正対象書類名】明細書
【補正対象項目名】００４１
【補正方法】変更
【補正の内容】
【００４１】
図１３Ａ、１３Ｂに日報入力処理に関するフローチャートを示す。システム側の日報入力画面６０において、保存・読込欄６１１が押下されるとデータ保存・読込処理へ遷移する（Ｓ１３０１、Ｓ１３０２）。データ送信欄６１２が押下されるとデータ送信処理を行う（Ｓ１３０３、Ｓ１３０４）。管径欄６３１が押下されると、管径情報の入力処理を行う（Ｓ１３０５、Ｓ１３０６）。部品種類欄６４が押下されると部品種類選択処理を行う（Ｓ１３０７、Ｓ１３０８）。部品種類が切断を要するＫの場合には、切断長の入力処理を行う（Ｓ１３０９、Ｓ１３１０）。配管部品欄６４４が押下されると、配管部品入力処理を行う（Ｓ１３１１、Ｓ１３１２）。反転欄６３２が押下されると、配管部品欄に表示されている部品記号の向きを反転する（Ｓ１３１３、Ｓ１３１４）。延長計算欄が押下されると、敷設長を計算して作成し、画面表示する（Ｓ１３１５、Ｓ１３１６）。クリア欄６３３が押下されると、入力表示欄６２に表示された情報を消去する（Ｓ１３１７、Ｓ１３１８）。以上、敷設情報の入力に関する処理の流れである。
【手続補正９】
【補正対象書類名】明細書
【補正対象項目名】００４２
【補正方法】変更
【補正の内容】
【００４２】
次に、図１４にデータ保存・読込処理のフローチャートを示す。データ保存・読込画面１１０において、ファイル名欄１１０１が押下されると、ファイル名入力処理を行う（Ｓ１４０１、Ｓ１４０２）。読込欄１１０２が押下される（Ｓ１４０３）と、入力されたファイル名で格納されているデータを読み込み、日報入力処理の入力表示欄６２に表示し、日報入力処理へ遷移する（Ｓ１４０４、Ｓ１４０５）。保存欄１１０３が押下される（Ｓ１４０６）と、ファイル名に従って敷設情報を格納し、初期画面に遷移する（Ｓ１４０７、Ｓ１４０８）。以上、データ保存・読込処理に関する流れである。
【手続補正１０】
【補正対象書類名】明細書
【補正対象項目名】００５０
【補正方法】変更
【補正の内容】
【００５０】
本発明は水道工事日報作成装置に係わり、特に日報情報の入力業務を改善することにおいて、非常に有用である。さらに、工事ミス、日報情報の入力間違いを低減する上で有効である。また、日報情報の送信内容を選択することにより、送信時間の低減を計ることが可能となる。さらに、水道工事のみならず、他の工事に関する報告情報入力業務に応用可能である。
【手続補正１１】
【補正対象書類名】図面
【補正対象項目名】図１３Ａ
【補正方法】変更
【補正の内容】
【図１３Ａ】
2014098956.tif 000021
【手続補正１２】
【補正対象書類名】図面
【補正対象項目名】図１３Ｂ
【補正方法】変更
【補正の内容】
【図１３Ｂ】
2014098956.tif 000022
【手続補正１３】
【補正対象書類名】図面
【補正対象項目名】図１４
【補正方法】変更
【補正の内容】
【図１４】
2014098956.tif 000023
【手続補正１４】
【補正対象書類名】図面
【補正対象項目名】図１５Ａ
【補正方法】変更
【補正の内容】
【図１５Ａ】
2014098956.tif 000024
【手続補正１５】
【補正対象書類名】図面
【補正対象項目名】図１５Ｂ
【補正方法】変更
【補正の内容】
【図１５Ｂ】
2014098956.tif 000025
【手続補正１６】
【補正対象書類名】図面
【補正対象項目名】図１６
【補正方法】変更
【補正の内容】
【図１６】
2014098956.tif 000026